(57)【特許請求の範囲】
【請求項１】
空気調和機本体内に、熱交換器と、前記熱交換器を通過する空気の流れを形成する送風機と、前記熱交換器へ流入する空気の塵埃を捕捉するフィルタと、前記フィルタを通過し前記熱交換器で熱交換した空気を送出する空気吹き出し部を備え、前記熱交換器によって、冷風と温風が同時に形成されるモード、温風はなく冷風が形成されるモード、及び冷風はなく温風が形成されるモードを備えた空気調和機において、
上水道水を溜める貯水タンクと、この貯水タンクからポンプによって供給される水に浸って次亜塩素酸を含有する電解水を生成する電極を備えた電解部と、この電解部で生成された電解水が導入される水受け部と、この水受け部の電解水に下部が浸る電解水吸い上げ要素部間に複数の並行した水平方向の空気通路を形成した除菌エレメントと、前記空気通路を通過する強制風を発生させる除菌用送風機を備えた除菌装置が、前記空気調和機本体内の左右の一方側に設置され、
前記除菌装置は、前記除菌用送風機で発生する強制風が前記除菌エレメントの空気通路を通過する際に前記電解水吸い上げ要素部で吸い上げた電解水に触れて除菌された空気となる構成であり、
前記除菌装置は、前記フィルタを通過した空気の一部が吸入される配置の前記除菌用送風機が上部に、前記除菌エレメントを収納した状態で前記水受け部が中間部に、且つ前記貯水タンクが下部となる配置であり、前記水受け部は清掃、点検、前記除菌エレメントの交換のために前記除菌エレメントと共に前記空気調和機本体から前方へ引き出し自在に前記空気調和機本体に支持され、前記貯水タンクは給水のために前記水受け部とは別個に前記空気調和機本体から前方へ引き出し自在に前記空気調和機本体に支持され、
前記除菌エレメントを通過した除菌された空気が、前記空気吹き出し部から送出される前記熱交換した空気にダクトを通して合流するようにしたことを特徴とする空気調和機。
【請求項２】
前記空気調和機本体の前面側に空気吸い込み部を備え、前記空気吹き出し部が前記空気調和機本体の上部に設けられ、前記熱交換器の後側に前記送風機が設置され、前記送風機の運転によって前記空気吸い込み部から吸い込んだ空気は前記フィルタを通過し、前記フィルタを通過した空気の一部が前記除菌用送風機へ吸入される空気となるように前記除菌用送風機が配置され、前記除菌エレメントは前記水平方向の空気通路が前後方向に向き前記除菌用送風機で発生する強制風が前記空気通路を後面から前方へ通過するように前記水受け部に収納され、前記ダクトは前後方向の厚さが薄くなる扁平形状をなし且つ前記フィルタと前記熱交換器との間の空間に配置され、前記除菌エレメントを通過した除菌された空気が前記ダクトによって前記空気吹き出し部に送出される配置であることを特徴とする請求項１に記載の空気調和機。
【発明の詳細な説明】
【技術分野】
【０００１】
本発明は、室内の空気調和を行う空気調和機に関し、特に、室内空気の除菌を行なう除菌装置を備えた空気調和機に関する。
【背景技術】
【０００２】
熱交換器と、この熱交換器を通過する空気の流れを形成する送風機と、熱交換器への流入空気の塵埃を捕捉するフィルタを備えた空気調和機において、熱交換器の風上に除菌及び脱臭用のオゾン発生部を備えたものがある。（例えば、特許文献１参照）。
【特許文献１】特開２００３−１０６６１３号公報
【発明の開示】
【発明が解決しようとする課題】
【０００３】
この特許文献１のものでは、除菌及び脱臭運転を行なう際、上下風向板で吹き出し口を閉じ、上位及び下位の開閉ルーバで前面上部の吸い込み口を閉じると共に、送風ファンを所定時間逆回転させるオゾンクリーン運転を行ない、吸い込み口と吹き出し口を結ぶ空気通路にオゾンを行き渡らせるものである。
【０００４】
この特許文献１のものは、オゾンクリーン運転によって空気調和機内部を除菌及び脱臭するものであり、空気調和される室内の除菌を目的としたものではないため、上記のようなオゾンクリーン運転が特別に必要となる。これに対して、本発明は、空気調和される室内の除菌を目的した空気調和機を提供するものであり、空気調和機の熱交換器で熱交換した空気に除菌エレメントを通過した空気を合流する方式によって、空気調和される室内の除菌を有効に行うことを目的とする。
【課題を解決するための手段】
【０００５】
第１発明の空気調和機は、空気調和機本体内に、熱交換器と、前記熱交換器を通過する空気の流れを形成する送風機と、前記熱交換器へ流入する空気の塵埃を捕捉するフィルタと、前記フィルタを通過し前記熱交換器で熱交換した空気を送出する空気吹き出し部を備え、前記熱交換器によって、冷風と温風が同時に形成されるモード、温風はなく冷風が形成されるモード、及び冷風はなく温風が形成されるモードを備えた空気調和機において、上水道水を溜める貯水タンクと、この貯水タンクからポンプによって供給される水に浸って次亜塩素酸を含有する電解水を生成する電極を備えた電解部と、この電解部で生成された電解水が導入される水受け部と、この水受け部の電解水に下部が浸る電解水吸い上げ要素部間に複数の並行した水平方向の空気通路を形成した除菌エレメントと、前記空気通路を通過する強制風を発生させる除菌用送風機を備えた除菌装置が、前記空気調和機本体内の左右の一方側に設置され、前記除菌装置は、前記除菌用送風機で発生する強制風が前記除菌エレメントの空気通路を通過する際に前記電解水吸い上げ要素部で吸い上げた電解水に触れて除菌された空気となる構成であり、前記除菌装置は、前記フィルタを通過した空気の一部が吸入される配置の前記除菌用送風機が上部に、前記除菌エレメントを収納した状態で前記水受け部が中間部に、且つ前記貯水タンクが下部となる配置であり、前記水受け部は清掃、点検、前記除菌エレメントの交換のために前記除菌エレメントと共に前記空気調和機本体から前方へ引き出し自在に前記空気調和機本体に支持され、前記貯水タンクは給水のために前記水受け部とは別個に前記空気調和機本体から前方へ引き出し自在に前記空気調和機本体に支持され、前記除菌エレメントを通過した除菌された空気が、前記空気吹き出し部から送出される前記熱交換した空気にダクトを通して合流するようにしたことを特徴とする。
【０００７】
第２発明の空気調和機は、第１発明において、前記空気調和機本体の前面側に空気吸い込み部を備え、前記空気吹き出し部が前記空気調和機本体の上部に設けられ、前記熱交換器の後側に前記送風機が設置され、前記送風機の運転によって前記空気吸い込み部から吸い込んだ空気は前記フィルタを通過し、前記フィルタを通過した空気の一部が前記除菌用送風機へ吸入される空気となるように前記除菌用送風機が配置され、前記除菌エレメントは前記水平方向の空気通路が前後方向に向き前記除菌用送風機で発生する強制風が前記空気通路を後面から前方へ通過するように前記水受け部に収納され、前記ダクトは前後方向の厚さが薄くなる扁平形状をなし且つ前記フィルタと前記熱交換器との間の空間に配置され、前記除菌エレメントを通過した除菌された空気が前記ダクトによって前記空気吹き出し部に送出される配置であることを特徴とする。
【発明の効果】
【０００９】
第１発明では、除菌用送風機で発生する強制風が、除菌エレメントの複数の並行した水平方向の空気通路を通過する際に、電解水吸い上げ要素部で吸い上げた電解水に触れて除菌された空気となるものであり、空気調和機の熱交換器で熱交換した空気は空気吹き出し部から室内へ送出されて室内を空気調和するが、この空気吹き出し部から送出される熱交換した空気に除菌エレメントを通過した除菌された空気を合流することにより、室内へ送出される熱交換した空気に除菌された空気が混入し、室内の除菌を行なうことができ、空気調和される室内の清浄化ができるものとなる。また、除菌装置が空気調和機本体内の左右の一方側に設置され、除菌用送風機が上部に、除菌エレメントを収納した状態で水受け部が中間部に、貯水タンクが下部となる配置であり、除菌エレメントと共に水受け部が前方へ引き出し自在であるため、除菌エレメントと水受け部の双方の清掃や点検、除菌エレメントの交換等がし易くなり、更に、貯水タンクが前方へ引き出し自在であることによって、貯水タンクへの給水や貯水タンクの製造等がし易くなり、空気調和機の小型化を図る上で好ましい形態となる。
【００１１】
第２発明では、除菌用送風機へ吸入される空気がフィルタを通過した空気の一部が流入するように、除菌装置が空気調和機内の側部に配置され、フィルタと熱交換器との間に厚さの薄いダクトを配置し、除菌用送風機の運転によって、除菌された空気を空気調和機本体の上部に設けた空気吹き出し部へ導くため、除菌装置へ流入する空気の塵埃は空気調和機のフィルタによって捕捉されることとなり、除菌エレメントが塵埃で詰まることを防止できるものとなると共に、除菌装置は空気調和機内の側部に配置され、フィルタと熱交換器との間に厚さの薄いダクトを配置する空間があれば、空気調和機の熱交換器、送風機、フィルタの配置を特別に変更することなく除菌装置を設けることができるものとなり、空気調和機の運転に伴って、除菌された空気を室内へ送出できるものとなり、第１発明の効果を良好に達成できるものとなる。
【発明を実施するための最良の形態】
【００１３】
本発明の空気調和機は、空気調和機本体内に、熱交換器と、前記熱交換器を通過する空気の流れを形成する送風機と、前記熱交換器へ流入する空気の塵埃を捕捉するフィルタと、前記フィルタを通過し前記熱交換器で熱交換した空気を送出する空気吹き出し部を備え、前記熱交換器によって、冷風と温風が同時に形成されるモード、温風はなく冷風が形成されるモード、及び冷風はなく温風が形成されるモードを備えた空気調和機において、上水道水を溜める貯水タンクと、この貯水タンクからポンプによって供給される水に浸って次亜塩素酸を含有する電解水を生成する電極を備えた電解部と、この電解部で生成された電解水が導入される水受け部と、この水受け部の電解水に下部が浸る電解水吸い上げ要素部間に複数の並行した水平方向の空気通路を形成した除菌エレメントと、前記空気通路を通過する強制風を発生させる除菌用送風機を備えた除菌装置が、前記空気調和機本体内の左右の一方側に設置され、前記除菌装置は、前記除菌用送風機で発生する強制風が前記除菌エレメントの空気通路を通過する際に前記電解水吸い上げ要素部で吸い上げた電解水に触れて除菌された空気となる構成であり、前記除菌装置は、前記フィルタを通過した空気の一部が吸入される配置の前記除菌用送風機が上部に、前記除菌エレメントを収納した状態で前記水受け部が中間部に、且つ前記貯水タンクが下部となる配置であり、前記水受け部は清掃、点検、前記除菌エレメントの交換のために前記除菌エレメントと共に前記空気調和機本体から前方へ引き出し自在に前記空気調和機本体に支持され、前記貯水タンクは給水のために前記水受け部とは別個に前記空気調和機本体から前方へ引き出し自在に前記空気調和機本体に支持され、前記除菌エレメントを通過した除菌された空気が、前記空気吹き出し部から送出される前記熱交換した空気にダクトを通して合流するようにしたものであり、以下に本発明の実施例を記載する。
【実施例１】
【００１４】
次に、本発明の実施の形態について説明する。図１は本発明に係る空気調和機と室外機のセットである分離型空気調和機の斜視図、図２は前面及び側面のカバーを省略した状態の内部構成を示す空気調和機の正面左側斜視図、図３は前面及び側面のカバーを省略した状態の内部構成を示す空気調和機の正面右側斜視図、図４は冷風吹き出し状態を説明する縦断側面図、図５はドライ風吹き出し状態を説明する縦断側面図、図６は温風吹き出し状態を説明する縦断側面図、図７は冷風と温風の両方の吹き出し状態を説明する縦断側面図、図８は除菌装置部分の構成を説明する縦断側面図、図９は除菌装置の水受け部の水位制御装置を説明する側面図、図１０は除菌装置の除菌エレメントの斜視図、図１１は除菌装置の貯水タンクを引き出した状態を説明する斜視図、図１２は除菌装置の貯水タンクと水受け部を引き出した状態を説明する斜視図、図１３は上部と下部の空気吹き出し部のフラップが閉じた空気調和機の停止状態を示す正面左側斜視図である。
【００１５】
図において、本発明に係る空気調和機１は、床置き式室内用空気調和機であり、冷媒の圧縮機と凝縮器とこれらの熱交換用送風機８等を収納した室外機１０とで一組の分離型空気調和機Ｋを構成する。室内用空気調和機１と室外機１０とは、室内用空気調和機１の熱交換器３の冷媒の入口パイプと出口パイプにそれぞれ接続される２本の冷媒パイプ６０と、電気配線９とで連結された状態である。空気調和機Ｋは、家屋の室内の空気調和を行うために、冷房動作、暖房動作、除湿動作、換気動作、室内空気循環動作を選択スイッチの操作に基づき選択できるものである。この選択スイッチは、使用性を考慮して、一般的に使用者が任意に遠隔操作可能なリモートコントローラ（図示せず）に設けられたスイッチで構成される。１２は室内用空気調和機１の熱交換器３に付着した露を排出するためのドレンパイプである。
【００１６】
室内用空気調和機１は、空気調和機本体２と前面パネル７とで構成された床置き形状をなし、空気調和機本体２は、ケーシング２Ｋの内部に正面視で矩形状の熱交換器３と、熱交換器３を通過する空気の流れを形成するように熱交換器３の後側の上部と下部に横長に設置したクロスフローファンと称する電動送風機４Ａ、４Ｂと、電装部５と、熱交換器３へ室内空気を吸い込む空気吸い込み部ＦＳと、熱交換器３へ流入する空気の塵埃を捕捉するフィルタ６と、上部と下部に空気吹き出し部１１Ａ、１１Ｂを備えている。図示の構成では、熱交換器３の略前面全体から空気が流入するようにするために、熱交換器３の略前面の面積と略同じ大きさの区形状の開口２Ｈがケーシング２Ｋの前面に形成されており、この開口２Ｈを覆うように矩形状の前面パネル７が、ケーシング２Ｋから前方へ離れて支持されており、それによって前面パネル７の周囲に空気吸い込み部ＦＳが形成された構成である。
【００１７】
フィルタ６は、格子状に形成された合成樹脂製の支持枠６Ａにシート状のフィルタ要素６Ｂの取り付けた構成であり、図示ものは、この構成のフィルタ６Ｆ、６Ｆが左右に併設された構成である。
【００１８】
熱交換器３は、縦方向に延びたアルミニウム薄板のフィンＰを略等間隔に横方向に多数並列配置状態において、複数の冷媒パイプＱが横方向に貫通配置されたプレートフィン型熱交換器の構成である。
【００１９】
空気調和機１は、図４乃至図７に示すように、４種類の運転モードをとることができるものである。即ち、図４は冷風吹き出しモードであり、熱交換器３は全体が冷却器として作用するように冷媒が流れ、下部空気吹き出し部１１Ｂに設けた下部フラップ１４が電動機によって閉じた状態であり、中間フラップ１３は上部が若干後方へ傾斜した状態であり、下側の電動送風機４Ｂは停止し、上側の電動送風機４Ａが運転され、空気調和機１で空気調和される室内空気が空気吸い込み部ＦＳから吸い込まれ、フィルタ６を通過して熱交換器３で冷却された冷風が上部空気吹き出し部１１Ａから室内へ送出される。このようにして室内が冷却される。
【００２０】
図５はドライ風の吹き出しモードであり、熱交換器３は略上半分が冷却器として作用するように冷媒が流れ、下半分が加熱器（冷媒の放熱器）として作用するように冷媒が流れ、下部空気吹き出し部１１Ｂに設けた下部フラップ１４が閉じた状態であり、中間フラップ１３は上部が若干後方へ傾斜した状態であり、下側の電動送風機４Ｂは停止し、上側の電動送風機４Ａが運転され、空気調和機１で空気調和される室内空気が空気吸い込み部ＦＳから吸い込まれ、フィルタ６を通過して熱交換器３の略上半分の冷却器部分で冷却された冷風と、熱交換器３の略下半分の加熱器（冷媒の放熱器）部分で暖められた温風が、混合状態で上部空気吹き出し部１１Ａから室内へ送出される。このようにして室内が冷風と温風の混合された空気によって湿気が減少してドライ状態となる。
【００２１】
また、図６は温風吹き出しモードであり、熱交換器３は全体が加熱器（冷媒の放熱器）として作用するように冷媒が流れ、下部空気吹き出し部１１Ｂに設けた下部フラップ１４が開いた状態であり、中間フラップ１３は略垂直であり、上側の電動送風機４Ａと下側の電動送風機４Ｂが運転される。これによって、空気調和機１で空気調和される室内空気が空気吸い込み部ＦＳから吸い込まれ、フィルタ６を通過して熱交換器３で暖められた温風が上部空気吹き出し部１１Ａと下部空気吹き出し部１１Ｂから室内へ送出される。このようにして室内が温風によって暖められる暖房運転状態となる。
【００２２】
また図７は冷風と温風の両方が同時に吹き出される新方式のドライモードである。この場合、熱交換器３は略上半分が冷却器として作用するように冷媒が流れ、下半分が加熱器（冷媒の放熱器）として作用するように冷媒が流れ、下部空気吹き出し部１１Ｂに設けた下部フラップ１４が開いた状態であり、中間フラップ１３は略水平状態であり、上側の電動送風機４Ａと下側の電動送風機４Ｂが運転される。これによって、空気調和機１で空気調和される室内空気が空気吸い込み部ＦＳから吸い込まれ、フィルタ６を通過して熱交換器３の略上半分の冷却器部分で冷却された冷風は、上部空気吹き出し部１１Ａから室内へ送出される。これと共に熱交換器３の略下半分の加熱器（冷媒の放熱器）部分で暖められた温風が、下部空気吹き出し部１１Ｂから室内へ送出される。このようにして室内の冷風と温風がそれぞれ送出され、室内で混合されることによって、室内湿気が減少してドライ状態となる。
【００２３】
本発明の空気調和機１には、除菌装置２０が設けられている。除菌装置２０は、空気調和機１内の側部に配置されるように空気調和機本体２の左右の一方側（図では左側）に設置されている。遊離塩素を含む上水道水を溜める貯水タンク２１と、この貯水タンク２１からポンプ２２と給水パイプ２３によって供給される水に浸って次亜塩素酸を含有する電解水を生成するプラスとマイナスの電極２４を備えた電解部２５と、この電解部２５で生成された電解水が給水パイプ２６を通して導入される水受け部２７と、この水受け部２７の電解水に下部が浸る電解水吸い上げ要素部２８Ｂ間に水平方向の空気通路２８Ａを形成した除菌エレメント２８と、空気通路２８Ａを通過する強制風を発生させる除菌用送風機２９を備え、除菌エレメント２８を通過した除菌空気を上部空気吹き出し部１１Ａから送出される熱交換器３で熱交換した空気に合流するダクト３０を設けている。
【００２４】
除菌装置２０は、除菌用送風機２９が上部に設置され、除菌エレメント２８を収納した水受け部２７が中間部に設置され、貯水タンク２１が下部に設置された配置である。除菌エレメント２８と共に水受け部２７が前方へ引き出し自在となるように、空気調和機本体２に略水平状態に支持された樋状の支持体３１に、水受け部２７が前方へ引き出し自在に載置されている。また、貯水タンク２１も前方へ引き出し自在となるように、空気調和機本体２に略水平状態に支持された左右のレール部材３２に、前方へ引き出し自在に支持された上面開口の容器状の支持体３３に取り出し自在に貯水タンク２１が載置されている。支持体３１の前面側には、ケーシング２Ｋの前面と同一面を形成するように前面カバー３１Ａを備え、支持体３１と共に前方へ引き出し自在である。また、支持体３３の前面側には、ケーシング２Ｋの前面と同一面を形成するように前面カバー３３Ａを備え、支持体３３と共に前方へ引き出し自在である。
【００２５】
除菌エレメント２８と共に水受け部２７が前方へ引き出し自在であるため、除菌エレメント２８と水受け部２７の双方の清掃や点検、除菌エレメント２８の交換等がし易くなり、更に、貯水タンク２１が前方へ引き出し自在であることによって、貯水タンク２１への給水や貯水タンク２１の製造等がし易くなり、空気調和機１の小型化を図る上で好ましい形態となる。
【００２６】
除菌エレメント２８は、吸い上げ要素部２８Ｂ間に複数の並行した水平方向の空気通路２８Ａを形成する構成の横長直方形状であり、除菌エレメント２８の下部が水受け部２７の電解水に浸るように収納された状態で、水平方向の空気通路２８Ａは前後方向に向いている。このため、除菌エレメント２８は、吸い上げ要素部２８Ｂが水受け部２７の電解水を毛細管作用によって吸い上げ、除菌用送風機２９で発生する強制風が、除菌エレメント２８の後面へ流入して、除菌エレメントの空気通路２８Ａを通過する際に、吸い上げ要素部２８Ｂで吸い上げた電解水に触れて除菌され、この除菌された空気がダクト３０の空気入口３０Ａからダクト３０へ流入し、ダクト３０を通って上部空気吹き出し部１１Ａから送出される熱交換器３で熱交換した空気に合流する。この合流を均一化するために、ダクト３０の空気出口３０Ｂは、上部空気吹き出し部１１Ａの左右長さ方向に長い形態でもって、上部空気吹き出し部１１Ａの下面１１Ａ１に開口している。
【００２７】
ダクト３０は、除菌エレメント２８を通過した除菌空気をフィルタ６と熱交換器３との間の空間３４を通って空気吹き出し部１１Ａに送出するように、ダクト３０は前後方向の厚さが薄くなるように扁平形状をなして、熱交換器３の前面に沿って配置されている。
【００２８】
除菌用送風機２９は、ケーシング２９Ｃ内に回転可能に軸支持したシロッコファン２９Ａの構成であり、除菌用送風機２９へ吸入される空気は、フィルタ６を通過した空気の一部が流入するように、除菌用送風機２９のケーシング２９Ｃとシロッコファン２９Ａが配置されている。このため、除菌装置２０ヘ流入する空気の塵埃は空気調和機１のフィルタ６によって捕捉されることとなり、除菌エレメント２８が塵埃で詰まることを防止できるものとなる。また、空気調和機１の熱交換器３、送風機４Ａ、４Ｂ、フィルタ６の配置を特別に変更することなく除菌装置２０を設けることができるものとなる。
【００２９】
図４乃至図７に示すように、空気調和機１が運転状態になると、除菌用送風機２９が運転され、空気調和機１の熱交換器３で熱交換した空気は、空気吹き出し部１１Ａ及びまたは１１Ｂから室内へ送出されて室内を空気調和し、この空気吹き出し部から送出される熱交換した空気に除菌エレメント２８を通過した除菌空気が合流して室内へ送出され、室内の除菌を行ない、空気調和される室内の清浄化ができるものとなる。この場合、水受け部２７の電解水の水位制御は、フロートスイッチ３５によって所定水位に制御される。フロートスイッチ３５は、水受け部２７に軸支持部３６で上下動可能に支持されたフロート３７の磁石３８と、この磁石３８によって接点がＯＮ、ＯＦするスイッチ３８の組み合わせからなるリードスイッチ構成である。
【００３０】
水受け部２７の電解水の水位が低下すれば、軸支持部３６を中心としてフロート３７が下方回動し、所定の下限水位以下になればスイッチ３８がＯＮし、ポンプ２２が運転されると共に電極２４に通電され、貯水タンク２１内の水が給水パイプ２３を通って電解部２５強旧され、ここで次亜塩素酸を含有する電解水を生成され、この電解水が給水パイプ２６を通して導入される水受け部２７へ供給される。水受け部２７の電解水の水位が上昇して、軸支持部３６を中心としてフロート３７が上方回動し、所定の上限水位になればスイッチ３８がＯＦＦし、ポンプ２２の運転が停止すると共に電極２４が非通電となり、給水が停止する。
【００３１】
このようにして水受け部２７の電解水の水位が所定範囲に維持される。この水受け部２７の電解水の所定範囲の水位によって、除菌エレメント２８の吸い上げ要素部２８Ｂの下部が電解水に浸った状態であり、これによって吸い上げ要素部２８Ｂのも毛細管作用によって吸い上げられた電解水によって、除菌エレメント２８を通過する空気の除菌が行なわれるものである。
【産業上の利用可能性】
【００３２】
本発明の空気調和機は、空気調和機１の形状や構成については、上記実施形態に限定されず、本発明の技術的範囲を逸脱しない限り種々の空気調和機に適用できるものである。
【図面の簡単な説明】
【００３３】
【図１】本発明に係る空気調和機と室外機のセットである分離型空気調和機の斜視図である。（実施例１）
【図２】前面及び側面のカバーを省略した状態の内部構成を示す空気調和機の正面左側斜視図である。（実施例１）
【図３】前面及び側面のカバーを省略した状態の内部構成を示す空気調和機の正面右側斜視図である。（実施例１）
【図４】本発明に係る空気調和機の冷風吹き出し状態を説明する縦断側面図である。（実施例１）
【図５】本発明に係る空気調和機のドライ風吹き出し状態を説明する縦断側面図である。（実施例１）
【図６】本発明に係る空気調和機の温風吹き出し状態を説明する縦断側面図である。（実施例１）
【図７】本発明に係る空気調和機の冷風と温風の両方の吹き出し状態を説明する縦断側面図である。（実施例１）
【図８】本発明に係る除菌装置部分の構成を説明する縦断側面図である。（実施例１）
【図９】本発明に係る除菌装置の水受け部の水位制御装置を説明する側面図である。（実施例１）
【図１０】本発明に係る除菌装置の除菌エレメントの斜視図である。（実施例１）
【図１１】本発明に係る除菌装置の貯水タンクを引き出した状態を説明する斜視図である。（実施例１）
【図１２】本発明に係る除菌装置の貯水タンクと水受け部を引き出した状態を説明する斜視図である。（実施例１）
【図１３】上部と下部の空気吹き出し部のフラップが閉じた本発明に係る空気調和機の停止状態を示す正面左側斜視図である。（実施例１）
【符号の説明】
【００３４】
１・・・・・空気調和機
２・・・・・空気調和機本体
２Ｈ・・・・前面開口
２Ｋ・・・・空気調和機本体のケーシング
３・・・・・熱交換器
４Ａ、４Ｂ・・・送風機
５・・・・・電装部
６、６Ｆ・・フィルタ
７・・・・・前面パネル
１０・・・・室外機
１１Ａ、１１Ｂ・・・・空気吹き出し部
１３・・・・中間フラップ
１４・・・・下部フラップ
２０・・・・除菌装置
２１・・・・貯水タンク
２２・・・・ポンプ
２３・・・・給水パイプ
２４・・・・電極
２５・・・・電解部
２６・・・・給水パイプ
２７・・・・水受け部
２８・・・・除菌エレメント
２８Ａ・・・空気通路
２８Ｂ・・・電解水吸い上げ要素部
２９・・・・除菌用送風機
２９Ａ・・・シロッコファン
２９Ｃ・・・ケーシング
３０・・・・ダクト
３０Ａ・・・ダクトの空気入口
３０Ｂ・・・ダクトの空気出口
３５・・・・フロートスイッチ
３７・・・・フロート
３８・・・・磁石
３９・・・・スイッチ
ＦＳ・・・・前面空気吸い込み部
【図１】
0005087355.tif 000002
【図２】
0005087355.tif 000003
【図３】
0005087355.tif 000004
【図４】
0005087355.tif 000005
【図５】
0005087355.tif 000006
【図６】
0005087355.tif 000007
【図７】
0005087355.tif 000008
【図８】
0005087355.tif 000009
【図９】
0005087355.tif 000010
【図１０】
0005087355.tif 000011
【図１１】
0005087355.tif 000012
【図１２】
0005087355.tif 000013
【図１３】
0005087355.tif 000014